(57)【要約】【課題】葬祭用具セットの装飾に「自然石」、「粘土の焼き物」又は「金属箔」を用いることにより、葬儀を執り行う空間をそれらから醸し出される独特なものとする。【解決手段】祭壇２と、当該祭壇２の前方に配置される経机４及び焼香台３とを備える葬祭用具セット１００であって、祭壇２の少なくとも前面部２ａ、経机４の少なくとも前面部４ａ及び焼香台３の少なくとも前面部３ａに、天然石、粘土の焼き物又は金属箔を用いた同一又は類似の装飾Ｘが施されることにより、セット１００全体として石、土又は箔を基調としたイメージを参列者に与えることを特徴とする。【選択図】図１
2018019883.tif 000002
【特許請求の範囲】
【請求項１】
祭壇と、当該祭壇の前方に配置される経机及び焼香台とを備える葬祭用具セットであって、
前記祭壇の少なくとも前面部、前記経机の少なくとも前面部及び前記焼香台の少なくとも前面部に、天然石を用いた同一又は類似の装飾が施されることにより、セット全体として石を基調としたイメージを参列者に与えることを特徴とする葬祭用具セット。
【請求項２】
祭壇と、当該祭壇の前方に配置される経机及び焼香台とを備える葬祭用具セットであって、
前記祭壇の少なくとも前面部、前記経机の少なくとも前面部及び前記焼香台の少なくとも前面部に、粘土の焼き物を用いた同一又は類似の装飾が施されることにより、セット全体として土を基調としたイメージを参列者に与えることを特徴とする葬祭用具セット。
【請求項３】
祭壇と、当該祭壇の前方に配置される経机及び焼香台とを備える葬祭用具セットであって、
前記祭壇の少なくとも前面部、前記経机の少なくとも前面部及び前記焼香台の少なくとも前面部に、金属箔を用いた同一又は類似の装飾が施されることにより、セット全体として箔を基調としたイメージを参列者に与えることを特徴とする葬祭用具セット。
【発明の詳細な説明】
【技術分野】
【０００１】
本発明は、祭壇と、経机と、焼香台とを備える葬祭用具セットに関するものである。
【背景技術】
【０００２】
従来、葬儀場などで執り行われる葬儀では、遺影等が載置される祭壇と、当該祭壇の前方に配置され、読経の際に経典が載せられる経机と、参列者が焼香するための焼香台とが用いられている。なお、必要に応じて、祭壇の前方には、木魚やお鈴が載せられる鳴物台、線香やお供え物が載せられる便利台、花立て、線香立て、蝋燭立て、火灯等が載置される中間台等が配置されている。
【０００３】
近年、祭壇、経机や焼香台の周囲に種々の装飾品を配置して、葬儀を執り行う空間を、故人の生前からの要望やイメージ又は遺族の要望に合ったものとすることが行われている。
【０００４】
しかしながら、祭壇、経机や焼香台の周囲に種々の装飾品を配置したとしても、遺影が載置される祭壇そのもの、経机そのものや、参列者が焼香を行う焼香台そのものからは特定の雰囲気が生じ難いため、葬儀を執り行う空間全体を１つの纏まった雰囲気にすることが難しい。
【先行技術文献】
【特許文献】
【０００５】
【特許文献１】特開平８−１７３３０９号公報
【発明の概要】
【発明が解決しようとする課題】
【０００６】
一方、本願発明者は、祭壇、経机や焼香台の構成により、葬儀を執り行う空間全体を１つの纏まった雰囲気にすることを考えている。その中で、本願発明者は、「自然石」、「粘土の焼き物」又は「金属箔」を用いることによって、葬儀を執り行う空間をそれらから醸し出される独特な雰囲気にすることを考えている。
【０００７】
そこで本発明は、祭壇、経机及び焼香台等の葬祭用具セットの構成に「自然石」、「粘土の焼き物」又は「金属箔」を用いることにより、葬儀を執り行う空間をそれらから醸し出される独特なものとすることをその主たる課題とするものである。
【課題を解決するための手段】
【０００８】
すなわち、本発明に係る葬祭用具セットは、祭壇と、当該祭壇の前方に配置される経机及び焼香台とを備える葬祭用具セットであって、前記祭壇の少なくとも前面部と、前記経机の少なくとも前面部と、前記焼香台の少なくとも前面部とに、天然石を用いた同一又は類似の装飾が施されることにより、セット全体として石を基調としたイメージを参列者に与えることを特徴とする。
【０００９】
この葬祭用具セットであれば、祭壇の少なくとも前面部、経机の少なくとも前面部及び焼香台の少なくとも前面部に、例えば大理石などの天然石を用いた同一又は類似の装飾が施されており、セット全体として石を基調としたイメージを参列者に与えることができるので、自然石の持つ気高い印象により、葬儀が執り行われる空間を厳かな雰囲気にすることができる。
【００１０】
また、本発明に係る葬祭用具セットは、祭壇と、当該祭壇の前方に配置される経机及び焼香台とを備える葬祭用具セットであって、前記祭壇の少なくとも前面部と、前記経机の少なくとも前面部と、前記焼香台の少なくとも前面部とに、粘土の焼き物を用いた同一又は類似の装飾が施されることにより、セット全体として土を基調としたイメージを参列者に与えることを特徴とする。
【００１１】
この葬祭用具セットであれば、祭壇、経机の少なくとも前面部及び少なくとも前面部及び焼香台の少なくとも前面部に、粘土の焼き物を用いた同一又は類似の装飾が施されており、セット全体として土を基調としたイメージを参列者に与えることができるので、親しみや安心を感じやすく、和んだ雰囲気にすることができる。
【００１２】
さらに、本発明に係る葬祭用具セットは、祭壇と、当該祭壇の前方に配置される経机及び焼香台とを備える葬祭用具セットであって、前記祭壇の少なくとも前面部と、前記経机の少なくとも前面部と、前記焼香台の少なくとも前面部とに、金属箔を用いた同一又は類似の装飾が施されることにより、セット全体として箔を基調としたイメージを参列者に与えることを特徴とする。
【００１３】
この葬祭用具セットであれば、祭壇の少なくとも前面部、経机の少なくとも前面部及び焼香台の少なくとも前面部に、金属箔を用いた同一又は類似の装飾が施されており、セット全体として箔を基調としたイメージを参列者に与えることができるので、金属箔からの光に包まれた柔らかな雰囲気にすることができる。
【発明の効果】
【００１４】
このように構成した本発明によれば、葬祭用具セットの装飾に「自然石」、「粘土の焼き物」又は「金属箔」を用いることにより、葬儀を執り行う空間をそれらから醸し出される独特なものとすることができる。
【図面の簡単な説明】
【００１５】
【図１】第１実施形態に係る葬祭用具セットを模式的に示す斜視図である。
【図２】第２実施形態に係る葬祭用具セットを模式的に示す斜視図である。
【図３】第３実施形態に係る葬祭用具セットを模式的に示す斜視図である。
【発明を実施するための形態】
【００１６】
１．第１実施形態
本発明の第１実施形態について、図面を参照して説明する。
【００１７】
第１実施形態に係る葬祭用具セット１００は、図１に示すように、遺影、お供え物、献花、その他の装飾品等が載置される祭壇２と、当該祭壇２の前方に配置されて参列者が焼香するための焼香台３と、前記祭壇２の前方に配置されて読経の際に経典が載せられる経机４とを備えている。また、祭壇２の左右両側には、献花等の装飾品が載置される脇壇５が配置されている。その他、必要に応じて、祭壇の前方には、木魚やお鈴が載せられる鳴物台、線香やお供え物が載せられる便利台、花立て、線香立て、蝋燭立て、火灯等が載置される中間台等を配置しても良い。
【００１８】
そして、祭壇２の前面部２ａ、焼香台３の前面部３ａ及び経机４の前面部４ａに、自然石を用いた同一又は類似の装飾Ｘが施されている。本実施形態の自然石は、大理石であるが、その他の自然石であっても良い。なお、前面部２ａ、３ａ、４ａは、正面視において視認できる部分のことである。
【００１９】
具体的にこの装飾Ｘは、大理石製の平板から構成されている。祭壇２の前面部２ａ、焼香台３の前面部３ａ及び経机４の前面部４ａの装飾Ｘは、いずれも正面視菱形をなす大理石製の平板から構成されている。各前面部３ａ、４ａ、５ａに形成された装飾Ｘは、各前面部３ａ、４ａ、５ａの中央部に施されており、同一形状ではないものの、相似形状となるように構成されている。
【００２０】
また、祭壇２の背面側及び脇壇５の背面側には、いずれもバックパネル部２１、５１が設けられている。このバックパネル部２１、５１には、前記装飾Ｘと同様に、正面視菱形をなす大理石製の平板からなる装飾Ｙが施されている。さらに、祭壇２、焼香台３、経机４及び脇壇５に載置される装飾品の前面部に装飾Ｘを施しても良い。
【００２１】
その他、祭壇２、焼香台３、経机４及び脇壇５の天板２０１、３０１、４０１、５０１も、前記装飾Ｘを構成する大理石と同種の大理石からなる平板を用いて構成されている。
【００２２】
このような構成により、本実施形態の葬祭用具セット１００は、同一又は類似の装飾Ｘ及び装飾Ｙにより全体として大理石を基調としたイメージを参列者に与えることができる。したがって、大理石の持つ気高い印象により、葬儀が執り行われる空間を厳かな雰囲気にすることができる。
【００２３】
２．第２実施形態
本発明の第２実施形態について、図面を参照して説明する。
【００２４】
第２実施形態に係る葬祭用具セット１００は、図２に示すように、遺影、お供え物、献花、その他の装飾品等が載置される祭壇２と、当該祭壇２の前方に配置されて参列者が焼香するための焼香台３と、前記祭壇２の前方に配置されて読経の際に経典が載せられる経机４とを備えている。また、祭壇２の左右両側には、献花等の装飾品が載置される脇壇５が配置されている。その他、必要に応じて、祭壇の前方には、木魚やお鈴が載せられる鳴物台、線香やお供え物が載せられる便利台、花立て、線香立て、蝋燭立て、火灯等が載置される中間台等を配置しても良い。
【００２５】
そして、祭壇２の前面部２ａ、焼香台３の前面部３ａ及び経机４の前面部４ａに、粘土の焼き物を用いた同一又は類似の装飾Ｘが施されている。本実施形態の粘土の焼き物は土器であるが、陶器であっても良いし、陶磁器であっても良い。なお、前面部２ａ、３ａ、４ａは、正面視において視認できる部分のことである。
【００２６】
具体的にこの装飾Ｘは、２種類の装飾Ｘ１、Ｘ２からなる。１つ目の装飾Ｘ１は、土器製の矩形状をなす装飾要素を格子状に配列することにより構成されている。また、２つ目の装飾Ｘ２は、土器製の矩形状をなすものであり、その前面に左右に延びる複数の線条を有する装飾要素を配列することにより構成されている。祭壇２の脚２０２の前面部２ａ、焼香台３の脚３０２の前面部３ａ及び経机４の脚４０２の前面部４ａには、格子状の装飾Ｘ１が施されている。また、祭壇２の天板２０１の前面部２ａ、焼香台３の天板３０１の前面部３ａ及び経机４の天板４０１の前面部４ａには、線条の装飾Ｘ２が施されている。各前面部３ａ、４ａ、５ａに形成された装飾Ｘ１、Ｘ２は、同一形状に限られず、相似形状又は類似形状となるように構成しても良い。
【００２７】
また、脇壇５の前面部５ａにも、前記装飾Ｘ２と同じ装飾が施されている。なお、脇壇５の前面部５ａに、装飾Ｘ１を施しても良い。さらに、祭壇２に載置される位牌台や供物台等の前面部にも装飾Ｘ１が施されているが、装飾Ｘ２を施しても良い。その上、祭壇２、焼香台３、経机４及び脇壇５に載置されるその他の装飾品の前面部に装飾Ｘ１、Ｘ２を施しても良い。
【００２８】
その他、祭壇２、焼香台３、経机４及び脇壇５において、装飾Ｘ１、Ｘ２が施されていない部分は、装飾Ｘ１、Ｘ２に合わせた色彩又は模様（例えば石模様又は土模様）とされている。
【００２９】
このような構成により、本実施形態の葬祭用具セット１００は、同一又は類似の装飾Ｘ１、Ｘ２により全体として土を基調としたイメージを参列者に与えることができる。したがって、葬儀が執り行われる空間を親しみや安心を感じやすく、和んだ雰囲気にすることができる。
【００３０】
３．第３実施形態
本発明の第３実施形態について、図面を参照して説明する。
【００３１】
第３実施形態に係る葬祭用具セット１００は、図３に示すように、遺影、お供え物、献花、その他の装飾品等が載置される祭壇２と、当該祭壇２の前方に配置されて参列者が焼香するための焼香台３と、前記祭壇２の前方に配置されて読経の際に経典が載せられる経机４とを備えている。また、祭壇２の左右両側には、献花等の装飾品が載置される脇壇５が配置されている。その他、必要に応じて、祭壇の前方には、木魚やお鈴が載せられる鳴物台、線香やお供え物が載せられる便利台、花立て、線香立て、蝋燭立て、火灯等が載置される中間台等を配置しても良い。
【００３２】
そして、祭壇２の前面部２ａ、焼香台３の前面部３ａ及び経机４の前面部４ａに、金属箔を用いた同一又は類似の装飾Ｘが施されている。本実施形態の金属箔は、金箔であるが、銀箔などのその他の金属箔であっても良い。なお、前面部２ａ、３ａ、４ａは、正面視において視認できる部分のことである。
【００３３】
具体的にこの装飾Ｘは、金属箔を貼ることにより構成されている。本実施形態では、祭壇２の前面部２ａ、焼香台３の前面部３ａ及び経机４の前面部４ａのうち、平板部分に金箔が貼られている。
【００３４】
また、脇壇５の前面部５ａにも、前記装飾Ｘと同じ装飾が施されている。さらに、脇壇５に載置される装飾品（例えば脇壇あかり）５２の前面部５２ａにも装飾Ｘが施されている。その上、祭壇２、焼香台３、経机４及び脇壇５に載置されるその他の装飾品の前面部に装飾Ｘを施しても良い。
【００３５】
なお、本実施形態では、祭壇２、焼香台３及び経机４の脚の一部は、透明の強化ガラスＧにより構成されている。また、装飾Ｘとして施された金箔に向けて光を照射する照明装置（不図示）が正面視から視認できない部分に設けられている。
【００３６】
このような構成により、本実施形態の葬祭用具セット１００は、同一又は類似の装飾Ｘにより全体として金箔を基調としたイメージを参列者に与えることができるので、金箔からの光に包まれた柔らかな雰囲気にすることができる。
【００３７】
４．変形実施形態
なお、本発明は前記実施形態に限られるものではない。
例えば、前記各実施形態は、各実施形態において説明した装飾に限られず、セット全体として、「石」、「土」又は「箔」としての統一感が得られるものであればよい。
【００３８】
また、前記第１実施形態では、一種類の大理石を用いて装飾Ｘを構成しているが、複数種類の大理石又は自然石を用いて互いに異なる複数の装飾を構成しても良い。
【００３９】
さらに、前記第２実施形態では、２種類の装飾Ｘ１、Ｘ２を施したものであったが、１種類の装飾又は３種類以上の装飾を施したものであっても良い。このとき、異なる種類の焼き物を用いたものであっても良い。
【００４０】
その上、前記第３実施形態では、金属箔として金箔のみを用いたものであったが、そのほか、２種類以上の金属箔を用いて装飾Ｘを構成しても良い。
【００４１】
前記各実施形態では、祭壇、経机及び焼香台等の前面部に装飾を施したものであったが、前面部に加えて、側面部に前面部と同様に装飾を施しても良い。また、背面部に前面部と同様の装飾を施しても良い。
【００４２】
その他本発明は、前記実施形態に限られず、その趣旨を逸脱しない範囲で種々変形が可能である。
【符号の説明】
【００４３】
１００・・・葬祭用具セット
２    ・・・祭壇
２ａ  ・・・前面部
３    ・・・焼香台
３ａ  ・・・前面部
４    ・・・経机
４ａ  ・・・前面部
５    ・・・脇壇
Ｘ    ・・・装飾
【図１】
2018019883.tif 000003
【図２】
2018019883.tif 000004
【図３】
2018019883.tif 000005